(57)【要約】【課題】無線通信装置内蔵テレビジョン受像機において、受像可能なチャンネルをサーチして記憶しプリセットすることにより使用者の使い勝手を向上させることを目的とする。【解決手段】制御部（１１１）が無線通信部（１１５）および無線通信部（１０５）を経由して制御部（１０２）に対してチャンネルサーチの開始を通知することで、制御部（１０２）がチューナー（１０３）を選局制御し映像処理部（１０４）からの同期有無を判定し受像可能なチャンネルを探し出し、その結果を無線通信部（１０５）および無線通信部（１１５）を経由して制御部（１１１）に通知することを繰り返すことで受像可能な全てのチャンネルを記憶装置（１１２）にプリセットすることで、使用者の使い勝手を向上させることを可能にする。【選択図】図１
2005333532.tif 000002
【特許請求の範囲】
【請求項１】
表示装置制御部がチャンネルサーチ開始通知を送信する手段と、映像音声送信制御部が前記表示装置制御部からのチャンネルサーチ開始通知を受信する手段と、前記映像音声送信制御部がチューナーに対し選局を制御する手段と、前記チューナーの映像出力信号から同期信号の有無を判別する手段と、前記映像音声送信制御部が前記表示装置制御部に対しサーチの結果通知を送信する手段と、前記表示装置制御部が前記映像音声送信制御部からのサーチの結果通知を受信する手段と、前記表示装置制御部が前記映像音声送信制御部からのサーチの結果通知によりサーチで受像可能と判断されたチャンネルを記憶する手段を備えることを特徴とする無線通信装置内蔵テレビジョン受像機。
【請求項２】
チャンネルサーチの進捗状況を画面に表示する手段を備えることを特徴とする請求項１記載の無線通信装置内蔵テレビジョン受像機。
【請求項３】
チャンネルサーチで受像可能と判断されたチャンネルを画面に表示する手段を備えることを特徴とする請求項１記載の無線通信装置内蔵テレビジョン受像機。
【発明の詳細な説明】
【技術分野】
【０００１】
本発明は、無線通信装置内蔵テレビジョン受像機に関し、更に詳しくは、受像可能なチャンネルをサーチして記憶しプリセットすることが可能な無線通信装置内蔵テレビジョン受像機に関する。
【背景技術】
【０００２】
従来、チューナーを含む送信装置と表示装置とを別個として構成し、送信装置で受信したテレビジョン放送信号を無線通信により表示装置へ送信し、表示装置において受信したテレビジョン放送信号に所定の処理を施した後テレビジョン画面として提供するシステムが公知である（例えば、特許文献１参照）。
【特許文献１】特開２００１−３５８９６６号公報
【発明の開示】
【発明が解決しようとする課題】
【０００３】
しかしながら、上記従来のシステムでは、使用者の利用する地域に最適な放送をサーチしてプリセットする機能がなかったため、使用者の使い勝手という観点で問題があった。
【０００４】
本発明は、上記問題に鑑み、使用者の利用する地域に最適な放送をサーチしてプリセットすることが可能な無線通信装置内蔵テレビジョン受像機を提供することを目的とする。
【課題を解決するための手段】
【０００５】
本発明の請求項１に係る無線通信装置内蔵テレビジョン受像機は、表示装置制御部がチャンネルサーチ開始通知を送信する手段と、映像音声送信制御部が前記表示装置制御部からのチャンネルサーチ開始通知を受信する手段と、前記映像音声送信制御部がチューナーに対し選局を制御する手段と、前記チューナーの映像出力信号から同期信号の有無を判別する手段と、前記映像音声送信制御部が前記表示装置制御部に対しサーチの結果通知を送信する手段と、前記表示装置制御部が前記映像音声送信制御部からのサーチの結果通知を受信する手段と、前記表示装置制御部が前記映像音声送信制御部からのサーチの結果通知によりサーチで受像可能と判断されたチャンネルを記憶する手段を備えることを特徴とする。
【０００６】
また、本発明の請求項２に係る無線通信装置内蔵テレビジョン受像機は、請求項１の無線通信装置内蔵テレビジョン受像機の構成において、チャンネルサーチの進捗状況を画面に表示する手段を備えることを特徴とする。
【０００７】
また、本発明の請求項３に係る無線通信装置内蔵テレビジョン受像機は、請求項１の無線通信装置内蔵テレビジョン受像機の構成において、チャンネルサーチで受像可能と判断されたチャンネルを画面に表示する手段を備えることを特徴とする。
【発明の効果】
【０００８】
本発明により、無線通信装置内蔵テレビジョン受像機において、受像可能なチャンネルをサーチして記憶しプリセットすることにより使用者の使い勝手を向上させることが可能となる。また、チャンネルサーチの進捗状況を表示することで、無線通信であることによる使用者の不安を軽減することが可能となる。
【発明を実施するための最良の形態】
【０００９】
（実施の形態１）
図１は、本発明の実施の形態１に係る無線通信装置内蔵テレビジョン受像機の構成を示すブロック図である。無線通信装置内蔵テレビジョン受像機は、送信装置１０１と表示装置１１０から構成される。
【００１０】
送信装置１０１は、制御部１０２と、チューナー１０３と、映像処理部１０４と、無線通信部１０５と、入力切換制御部１０６と、ＭＰＥＧエンコード部１０７から構成される。
【００１１】
制御部１０２は、無線通信部１０５からのチャンネルサーチ開始通知に基づいてチューナー１０３を制御する。また、映像処理部１０４に入力した映像信号の同期有無の判定を行う。また、チャンネルサーチ結果通知及び終了通知を、無線通信部１０５に出力する。チューナー１０３は、制御部１０２からの制御に基づき、選局動作を行う。映像処理部１０４は、チューナー１０３の映像出力を処理し、選局されたチャンネルの同期有無を制御部１０２が判定できるようにする。また、処理された映像を入力切換制御部１０６に出力する。無線通信部１０５は、ＭＰＥＧエンコード部１０７からのエンコード映像信号及び／又は音声信号を無線通信できる形式に変換した後で、表示装置１１０へ送信する。また、表示装置１１０からのチャンネルサーチ開始通知を受信して、制御部１０２へ出力する。また、制御部１０２からのチャンネルサーチ結果通知及び終了通知を表示装置１１０へ送信する。入力切換制御部１０６は、制御部１０２からの制御により、映像処理部１０４と静止画生成部（図示せず）からの映像信号の切換を行う。ＭＰＥＧエンコード部１０７は、入力切換制御部１０６からの映像信号または音声信号をエンコードする。
【００１２】
表示装置１１０は、制御部１１１と、記憶部１１２と、音声出力部１１３と、表示部１１４と、無線通信部１１５と、ＭＰＥＧデコード部１１６と、入力切換制御部１１７と、映像出力部１１８から構成される。
【００１３】
制御部１１１は、チャンネルサーチ開始通知を無線通信部１１５に出力する。また、無線通信部１１５からのチャンネルサーチ結果通知に基づいて表示部１１４にチャンネルサーチの進捗状況を表示する。また、無線通信部１１５からのチャンネルサーチ終了通知に基づいて表示部１１４に受像可能なチャンネルを表示する。また、チャンネルサーチ開始と終了時に音声出力部１１３の音量レベルを制御する。また、チャンネルサーチで受像可能と判断されたチャンネルを記憶部１１２に記憶させる。記憶部１１２は、チャンネルサーチで受像可能と判断されたチャンネルを記憶する。音声出力部１１３は、入力切換制御部１１７から入力した音声信号を再生する手段である。表示部１１４は、映像出力部１１８からの映像や、制御部１１１からのオンスクリーンディスプレイ表示を表示する。無線通信部１１５は、制御部１１１からのチャンネルサーチ開始通知を送信装置１０１へ出力する。また、送信装置１０１からの無線通信できる形式に変換した映像信号及び／又は音声信号を受信しＭＰＥＧエンコード部１０７でエンコードした映像信号及び／又は音声信号に変換した後で、ＭＰＥＧデコード部１１６へ出力する。また、送信装置１０１からのチャンネルサーチ結果通知及び終了通知を、制御部１１１へ出力する。ＭＰＥＧデコード部１１６は、無線通信部１１５で受信したエンコードされた映像信号及び／又は音声信号をデコードする。入力切換制御部１１７は、制御部１１１からの制御によりＭＰＥＧでコード部１１６からの映像信号及び／又は音声信号と、外部入力部（図示せず）からの映像信号及び／又は音声信号との切換を行い映像出力部１１８及び／又は音声出力部１１３に出力する。映像出力部１１８は、入力切換制御部１１７から入力した映像信号を表示する手段である。
【００１４】
図２及び図３を用いてチャンネルサーチ制御を説明する。
【００１５】
まず、表示装置１１０において、制御部１１１は、使用者のボタン（図示せず）操作および表示部１１４に表示されたオンスクリーンメニュー操作によりチャンネルサーチ要求があるかどうかを判断する（ステップ２０１）。
【００１６】
チャンネルサーチ要求がある場合（ステップ２０１で「Ｙ」）、制御部１１１は、チャンネルサーチ中に受像可能でないチャンネルの時に雑音が出力されて聞き苦しくなるのを防ぐため音声出力部１１３を制御し音量レベルを下げ、かつ、表示装置１１０自体の応答時間を考慮し一定時間待機する（ステップ２０２）。そして、前記処理後、送信装置１０１の制御部１０２に対して、無線通信部１１５、無線通信部１０５を介してチャンネルサーチ開始通知を送信し（ステップ２０３）、送信装置１０１からのチャンネルサーチ結果通知の受信待ち状態（ステップ２０４）へ移行する。
【００１７】
送信装置１０１において、制御部１０２は、チャンネルサーチ開始通知を受信した場合（ステップ３０１で「Ｙ」）、チューナー１０３に対し、最初のチャンネルを選局するよう制御し（ステップ３０２）、チャンネルサーチ処理を行う（ステップ３０３）。
【００１８】
具体的に制御部１０２は、チャンネルサーチ処理として、チューナー１０３が受信し、映像処理部１０４に入力した映像信号の同期有無の判定を行う。そして、判定結果をチャンネルサーチ結果通知として、無線通信部１０５、無線通信部１１５を介して表示装置１１０の制御部１１１へ送信する（ステップ３０４）。ここで、チャンネルサーチ結果通知では、サーチしたチャンネル番号と同期有無およびサーチ動作でのエラー情報などの状態を通知する。
【００１９】
そして、全チャンネルのサーチが終了したかどうかの判定を行い（ステップ３０５）、全チャンネルのサーチが終了していなければ（ステップ３０５で「Ｎ」）、次のチャンネルを選局し（ステップ３０６）、チャンネルサーチ処理（ステップ３０３）、チャンネルサーチ結果通知送信処理（ステップ３０４）へと進む。全チャンネルのサーチが終了したと判定した場合は（ステップ３０５で「Ｙ」）、表示装置１１０の制御部１１１に対し、無線通信部１０５、無線通信部１１５を介してチャンネルサーチ終了通知を送信する（ステップ３０７）。ここで、チャンネルサーチ終了通知では、チャンネルサーチが終了したこととチャンネルサーチ動作でのエラー情報などの状態を通知する。
【００２０】
表示装置１１０の制御部１１１は、選局したチャンネルに同期があるという情報を含んだチャンネルサーチ結果通知を受信した場合は（ステップ２０４で「Ｙ」、ステップ２０５で「Ｙ」）、表示部１１４に図４に示すチャンネルサーチの進捗状況を表示すると共に（ステップ２０６）、制御部１０２のＲＡＭ（図示せず）にチャンネルサーチ結果を一時記憶する（ステップ２０７）。ＲＡＭ（図示せず）への一時記憶は、チャンネルサーチが終了した際、記憶部１１２に、同期があると判定したチャンネルを記憶させるために行う。
【００２１】
一方、選局したチャンネルに同期がないという情報を含んだチャンネルサーチ結果通知を受信した場合は（ステップ２０４で「Ｙ」、ステップ２０５で「Ｎ」）、チャンネルサーチ結果通知の受信待ち状態に戻る（ステップ２０４）。
【００２２】
また、チャンネルサーチ終了通知を受信した場合は（ステップ２０４で「Ｎ」、ステップ２０８で「Ｙ」）、表示部１１４に図５に示すチャンネルサーチ結果を表示すると共に（ステップ２０９）、ＲＡＭ（図示せず）に一時記憶したチャンネルサーチ結果を記憶部１１２に記憶させる（ステップ２１０）。そして、一定時間待機後に、音声出力部１１３を制御して下げていた音量レベルを元に戻し（ステップ２１１）、チャンネルサーチを終了する。チャンネルサーチ終了通知を受信していない場合は（ステップ２０４で「Ｎ」、ステップ２０８で「Ｎ」）、チャンネルサーチ結果通知の受信待ち状態に戻る（ステップ２０４）。
【００２３】
なお、本実施の形態１では、図４に示すチャンネルサーチの進捗状況表示を、選局したチャンネルに同期があるという情報を含んだチャンネルサーチ結果通知を受信する度に行っているが、チャンネルサーチ開始通知送信後からチャンネルサーチ終了通知を受信しチャンネルサーチ結果表示を行うまでの間、継続して表示しておいてもよい。
【産業上の利用可能性】
【００２４】
以上のように、本発明の無線通信装置内蔵テレビジョン受像機によれば、受像可能なチャンネルをサーチしてプリセットする状況を容易に視認可能であるため、無線通信機能を内蔵し、テレビジョン映像を表示する全てのＡＶ機器で利用可能である。
【図面の簡単な説明】
【００２５】
【図１】本発明の実施の形態１における無線通信装置内蔵テレビジョン受像機の構成を示すブロック図
【図２】同実施の形態１における送信装置によるチャンネルサーチ制御の動作を示すフローチャート
【図３】同実施の形態１における表示装置によるチャンネルサーチ制御の開始通知制御から進捗表示および終了までの動作を示すフローチャート
【図４】同実施の形態１における表示装置によるチャンネルサーチ中の進捗状況表示を示す図
【図５】同実施の形態１における表示装置によるチャンネルサーチ結果の表示を示す図
【符号の説明】
【００２６】
１０１    送信装置
１０２    制御部
１０３    チューナー
１０４    映像処理部
１０５    無線通信部
１０６    入力切換制御部
１０７    ＭＰＥＧエンコード部
１１０    表示装置
１１１    制御部
１１２    記憶装置
１１３    音声出力部
１１４    表示装置
１１５    無線通信部
１１６    ＭＰＥＧデコード部
１１７    入力切換制御部
１１８    映像出力部
【図１】
2005333532.tif 000003
【図２】
2005333532.tif 000004
【図３】
2005333532.tif 000005
【図４】
2005333532.tif 000006
【図５】
2005333532.tif 000007